(57)【要約】【課題】ハードウェア的な操作部において、単純な手順で多様な機能を同じ操作部への操作によって実現させる。【解決手段】特定の方向に操作可能な操作部と、前記操作部を有する端末装置の姿勢を判定する姿勢判定部と、前記端末装置に加えられる加速度を検出する加速度センサと、前記姿勢に応じて、前記操作部の操作に対応して実現される機能を切り替える制御部と、を備え、前記制御部は、前記加速度に基づいて、前記姿勢に応じて前記機能を切り替えるか否かを決定する、端末装置が提供される。【選択図】図３
2018156673.tif 000002
【特許請求の範囲】
【請求項１】
特定の方向に操作可能な操作部と、
前記操作部を有する端末装置の姿勢を判定する姿勢判定部と、
前記端末装置に加えられる加速度を検出する加速度センサと、
前記姿勢に応じて、前記操作部の操作に対応して実現される機能を切り替える制御部と、
を備え、
前記制御部は、前記加速度に基づいて、前記姿勢に応じて前記機能を切り替えるか否かを決定する、
端末装置。
【請求項２】
前記制御部は、前記加速度に応じて前記機能をさらに切り替える、請求項１に記載の端末装置。
【請求項３】
前記制御部は、前記操作部が所定のパターンの操作を検出した場合、前記加速度にかかわらず、前記姿勢に応じて前記機能を切り替える、請求項１に記載の端末装置。
【請求項４】
前記姿勢判定部は、前記端末装置の筐体の傾き角度に基づいて前記姿勢を判定する、請求項１に記載の端末装置。
【請求項５】
前記操作部は、回転または押下を検出するジョグダイヤルを含む、請求項１に記載の端末装置。
【請求項６】
前記操作部は、スライドまたは押下を検出するタッチセンサを含む、請求項１に記載の端末装置。
【請求項７】
前記操作部は、圧縮または引張を検出するひずみゲージを含む、請求項１に記載の端末装置。
【請求項８】
前記操作部は、ボタンを含む、請求項１に記載の端末装置。
【請求項９】
ランニング中のユーザが携帯または装着することが可能な筐体をさらに備え、
前記制御部は、前記姿勢に応じて、前記操作に対応して音楽再生に関連する機能を実現するか、ランニングのナビゲーションに関連する機能を実現するかを切り替える、請求項１に記載の端末装置。
【請求項１０】
筐体と、前記筐体とともに輪を形成するベルトとをさらに備え、
前記ベルトは、
複数の剛性部と、前記各剛性部の間に配置される伸縮部とを含み、
前記伸縮部が収縮することによって前記複数の剛性部が互いに密着してグリップハンドルを形成し、
前記伸縮部が伸長することによって前記複数の剛性部が互いに分離して伸縮性のベルト部分を形成する、請求項１に記載の端末装置。
【請求項１１】
筐体と、前記筐体の表面に設けられ、他の端末装置と少なくとも構造的に連結される連結部とをさらに備える、請求項１に記載の端末装置。
【請求項１２】
前記連結部は、前記他の端末装置と電気的にも連結される、請求項１１に記載の端末装置。
【請求項１３】
前記端末装置の筐体の加速度を検出する加速度検出部と、前記端末装置のユーザまたは前記端末装置への衝撃を緩和するエアバッグをさらに備え、
前記制御部は、前記加速度に基づいて前記エアバッグを作動させる、請求項１に記載の端末装置。
【請求項１４】
複数のディスプレイをさらに備え、
前記制御部は、前記姿勢に応じて、前記ディスプレイのうち画像を表示するディスプレイを切り替える、請求項１に記載の端末装置。
【請求項１５】
特定の方向に操作可能な操作部の操作を検出することと、
前記操作部を有する端末装置の姿勢を判定することと、
前記端末装置に加えられる加速度を検出することと、
前記姿勢に応じて、前記操作に対応して実現させる機能を切り替えることと、
前記加速度に基づいて、前記姿勢に応じて前記機能を切り替えるか否かを決定することと、
を含む端末装置の制御方法。
【請求項１６】
特定の方向に操作可能な操作部の操作を検出する機能と、
前記操作部を有する端末装置の姿勢を判定する機能と、
前記端末装置に加えられる加速度を検出する機能と、
前記姿勢に応じて、前記操作に対応して実現させる機能を切り替える機能と、
前記加速度に基づいて、前記姿勢に応じて前記機能を切り替えるか否かを決定する機能と、
をコンピュータに実現させるためのプログラム。
【発明の詳細な説明】
【技術分野】
【０００１】
本開示は、端末装置、端末装置の制御方法およびプログラムに関する。
【背景技術】
【０００２】
スマートフォンやタブレット端末など、ユーザが自由な姿勢で把持して使用する端末装置が普及したのに伴い、端末装置の姿勢に応じてタッチパネルに表示されるキーなどの配置を変更し、操作性を向上させる技術が提案されている。例えば、特許文献１には、筐体の傾き情報に基づいて端末装置が縦向きか横向きか、およびユーザが端末装置を左手で把持しているか右手で把持しているかを判定し、タッチパネル上でそれぞれの場合に操作しやすい位置にキーを表示させる技術が記載されている。
【０００３】
一方、端末装置の形態も多様化している。上記のようなスマートフォンやタブレット端末だけではなく、例えば特許文献２，３に記載されているように、ユーザが運動するときに腕などに装着するタイプの端末装置が知られている。このような端末装置では、例えばランニングなどの運動に関するナビゲーション情報が提供されたり、運動中に聴く音楽が再生できたり、運動の成果に応じたリワードが提供されたりする。
【先行技術文献】
【特許文献】
【０００４】
【特許文献１】特開２０１２−２５６１５３号公報
【特許文献２】特開２０１２−３５０７１号公報
【特許文献３】特開２０１２−２０１３４号公報
【発明の概要】
【発明が解決しようとする課題】
【０００５】
特許文献１などに記載された端末装置におけるタッチパネルを利用した操作部は、表示されるキーなどのＧＵＩ（Graphical  User  Interface）を変更することによって、多様な機能を同じ操作部への操作によって実現することが可能である。ところが、タッチパネルに表示されるＧＵＩは、ユーザが表示されたキーなどの画像を見て適切な位置にタッチする必要があるため、例えば特許文献２，３に記載されたような端末装置を運動中に操作するような場合には必ずしも適切とはいえない。こうした端末装置では、ボタンやジョグダイヤル、タッチセンサといった、いわばハードウェア的な操作部が好まれる場合もある。
【０００６】
その一方で、ハードウェア的な操作部は基本的に単一の機能に対応するため、タッチパネルのように多様な機能を同じ操作部への操作によって実現することは難しい。操作部を複数の機能に対応させるような切り替えも可能であるが、そのためにはあるボタンを他のボタンと一緒に押すとか、前もって所定の手順を実行して機能を切り替えるなどといった操作が必要になることが多い。操作部としてボタンがいくつも設けられたり、操作にあたって煩雑な手順が必要になったりすることも、例えば特許文献２，３に記載されたような端末装置においては、装置の小型化／軽量化や操作の単純化といった観点から必ずしも適切ではない場合がある。
【０００７】
そこで、本開示では、ハードウェア的な操作部において、単純な手順で多様な機能を同じ操作部への操作によって実現させることを可能にする、新規かつ改良された端末装置、端末装置の制御方法およびプログラムを提案する。
【課題を解決するための手段】
【０００８】
本開示によれば、特定の方向に操作可能な操作部と、上記操作部を有する端末装置の姿勢を判定する姿勢判定部と、上記姿勢に応じて、上記操作部の操作に対応して実現される機能を切り替える制御部とを含む端末装置が提供される。
【０００９】
また、本開示によれば、特定の方向に操作可能な操作部の操作を検出することと、上記操作部を有する端末装置の姿勢を判定することと、上記姿勢に応じて、上記操作に対応して実現させる機能を切り替えることとを含む端末装置の制御方法が提供される。
【００１０】
また、本開示によれば、特定の方向に操作可能な操作部の操作を検出する機能と、上記操作部を有する端末装置の姿勢を判定する機能と、上記姿勢に応じて、上記操作に対応して実現させる機能を切り替える機能とをコンピュータに実現させるためのプログラムが提供される。
【００１１】
端末装置の姿勢に応じて機能を切り替えることによって、例えばユーザがランニングなどの運動中に携帯する端末装置でも、単純な手順で多様な機能を同じ操作部への操作によって実現させることができる。
【発明の効果】
【００１２】
以上説明したように本開示によれば、ハードウェア的な操作部において、単純な手順で多様な機能を同じ操作部への操作によって実現させることができる。
【図面の簡単な説明】
【００１３】
【図１】本開示の第１の実施形態に係る端末装置の斜視図である。
【図２】本開示の第１の実施形態に係る端末装置のハードウェア構成を概略的に示すブロック図である。
【図３】本開示の第１の実施形態に係る端末装置の機能構成を概略的に示すブロック図である。
【図４】本開示の第１の実施形態において、端末装置を縦姿勢で把持した状態でジョグダイヤルを操作した場合に実現される機能について説明するための図である。
【図５】本開示の第１の実施形態において、端末装置を横姿勢で把持した状態でジョグダイヤルを操作した場合に実現される機能について説明するための図である。
【図６】本開示の第１の実施形態における処理の例を示すフローチャートである。
【図７】本開示の第２の実施形態に係る端末装置の平面図である。
【図８】本開示の第２の実施形態に係る端末装置のハードウェア構成を概略的に示すブロック図である。
【図９】本開示の第２の実施形態において、端末装置を縦姿勢にした状態でタッチセンサを操作した状態を示す図である。
【図１０】本開示の第２の実施形態において、端末装置を横姿勢にした状態でタッチセンサを操作した状態を示す図である。
【図１１】本開示の第２の実施形態の変形例について説明するための図である。
【図１２】本開示の第３の実施形態に係る端末装置の斜視図である。
【図１３】本開示の第４の実施形態に係る端末装置の斜視図である。
【図１４】本開示の第５の実施形態に係る端末装置の斜視図である。
【図１５】本開示の第６の実施形態に係る端末装置の斜視図である。
【図１６】本開示の第７の実施形態に係る端末装置の斜視図である。
【図１７】本開示の各実施形態に共通の変形例における処理を示すフローチャートである。
【発明を実施するための形態】
【００１４】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１５】
なお、説明は以下の順序で行うものとする。
１．第１の実施形態
１−１．端末装置の外観
１−２．端末装置のハードウェア構成
１−３．端末装置の機能構成
１−４．選択的に実現される機能の例
１−５．処理フロー
２．第２の実施形態
２−１．端末装置の構成
２−２．選択的に実現される機能の例
２−３．変形例
３．第３の実施形態
４．第４の実施形態
５．第５の実施形態
６．第６の実施形態
７．第７の実施形態
８．変形例
９．補足
【００１６】
（１．第１の実施形態）
（１−１．端末装置の外観）
図１は、本開示の第１の実施形態に係る端末装置の斜視図である。図１を参照すると、端末装置１００は、筐体１０１と、ジョグダイヤル１０３と、タッチパネル１０５と、ディスプレイ１０７と、スピーカー１０９とを有する。筐体１０１は角の円い直方体であり、中央部にユーザが指を通すための長手方向の穴を有する。ユーザは、例えば４本の指をこの穴に差し込むことによって、筐体１０１を固く握ることができる。端末装置１００は、例えば、このように握られた状態で、ユーザのランニングなどの運動中に携帯される。
【００１７】
ジョグダイヤル１０３は、筐体１０１の表面（図示された例では角部分）に設けられ、例えば筐体１０１がユーザに把持されたときにはユーザの親指で回転させられたり押下されたりする。なお、ジョグダイヤル１０３は、ユーザが筐体１０１を把持しているのとは反対側の手の指で操作されてもよい。タッチパネル１０５およびディスプレイ１０７は、筐体１０１が把持されたときにユーザの側に向くように配置され、後述する様々な機能を実現するためのＧＵＩを表示する。スピーカー１０９は、必要に応じてユーザに向けて音声を出力する。
【００１８】
ここで、ジョグダイヤル１０３は、特定の方向に操作可能な操作部である。例えば、ジョグダイヤル１０３は、ダイヤルの周方向への回転操作と、ダイヤルの径方向への押下操作とを受け付ける。このような操作部は、例えばタッチパネル１０５に比べると操作の自由度が低いが、ＧＵＩとは異なりユーザの視覚に依存しないために、操作部を見ることなく（ブラインドで）操作したり、筐体１０１やユーザ自身が振動している状態で操作したりすることが容易であるという利点がある。なお、タッチパネル１０５も、ディスプレイ１０７に表示されるＧＵＩと組み合わせるのではなく、単純にタッチや特定の方向へのドラッグ、フリックなどを検出する手段として使用するのであれば、ジョグダイヤル１０３と同様に特定の方向に操作可能な操作部になりうる。
【００１９】
（１−２．端末装置のハードウェア構成）
図２は、本開示の第１の実施形態に係る端末装置のハードウェア構成を概略的に示すブロック図である。図２を参照すると、端末装置１００は、ハードウェア構成として、通信部１１１と、ＣＰＵ（Central  Processing  Unit）１１３と、メモリ１１５と、出力部１１７と、操作部１１９と、センサ１２１とを有する。端末装置１００は、さらに後述するエアバッグ１３３を有してもよい。これらの各構成要素は、バス１３５によって互いに接続される。
【００２０】
通信部１１１は、例えば携帯電話網やＷｉ−Ｆｉなどの無線通信を実行する通信装置である。端末装置１００は、通信部１１１が実行する通信によって、例えば後述するランニングのナビゲーションのための情報や、配信された音楽コンテンツなどを受信する。
【００２１】
ＣＰＵ１１３は、メモリ１１５に格納されたプログラムに従って動作することによって端末装置１００の各部を制御して様々な機能を実現する。例えば、ＣＰＵ１１３は、ランニングのナビゲーション機能や、音楽再生機能を実現する。なお、端末装置１００において実現される機能の詳細については後述する。
【００２２】
メモリ１１５は、端末装置１００において用いられる各種のデータを一時的または永続的に格納する。例えば、メモリ１１５には、ＣＰＵ１１３を動作させるためのプログラムコードが格納される。また、メモリ１１５には、ランニングのナビゲーションのための各種の情報、例えばコースの情報や、ユーザの速度やスプリットタイム、消費カロリーなどの情報が蓄積されてもよい。さらに、メモリ１１５には、音楽再生機能のためのコンテンツデータが格納されうる。
【００２３】
出力部１１７は、ディスプレイ１０７およびスピーカー１０９を含む。ディスプレイ１０７は、ＣＰＵ１１３の制御に従って画像を表示する。スピーカー１０９は、同じくＣＰＵ１１３の制御に従って音声を出力する。
【００２４】
操作部１１９は、タッチパネル１０５およびジョグダイヤル１０３を含む。タッチパネル１０５は、ディスプレイ１０７の表面に配置され、ディスプレイ１０７に対するユーザの接触位置を検出する。ジョグダイヤル１０３は、上述のように筐体１０１の表面に配置され、ユーザによって所定の方向に回転させられたり押下されたりする。
【００２５】
センサ１２１は、加速度センサ１２３、ジャイロセンサ１２５、温度センサ１２７、マイク１２９およびＧＰＳ（Global  Positioning  System）受信機１３１を含む。これらのセンサは、後述するように、端末装置１００の位置や姿勢、周辺環境などを検出するために用いられる。他の実施形態では、センサ１２１は気圧センサや湿度センサ、地磁気センサ、光センサなどを含んでもよい。
【００２６】
（１−３．端末装置の機能構成）
図３は、本開示の第１の実施形態に係る端末装置の機能構成を概略的に示すブロック図である。図３を参照すると、端末装置１００は、上記のＣＰＵ１１３によってソフトウェア的に実現される機能構成として、制御部１５１と、位置情報取得部１５３と、姿勢判定部１５５と、環境情報取得部１５７と、出力データ生成部１５９と、画像表示部１６１と、音声出力部１６３とを有する。
【００２７】
制御部１５１は、通信部１１１および操作部１１９から入力された情報に基づいて、端末装置１００の各部を制御する。例えば、制御部１５１は、位置情報取得部１５３および環境情報取得部１５７によって取得された情報に基づいて、出力データ生成部１５９にランニングのナビゲーション情報を生成させる。また、制御部１５１は、メモリ１１５に格納されたコンテンツデータを用いて、出力データ生成部１５９に音楽再生のための音声データを生成させる。さらに、制御部１５１は、ランニングのナビゲーション機能や音楽再生機能のＧＵＩを表示するためのデータを出力データ生成部１５９に生成させてもよい。
【００２８】
ここで、制御部１５１は、姿勢判定部１５５が端末装置１００の姿勢を判定した結果を取得する。制御部１５１は、端末装置１００の姿勢に応じて、ジョグダイヤル１０３が取得した操作に対応してランニングのナビゲーションに関連する機能または音楽再生機能に関連する機能のいずれかを選択的に実現させる。なお、この選択の具体的な例については後述する。
【００２９】
さらに、制御部１５１は、環境情報取得部１５７が端末装置１００の振動状態を判定した結果を取得してもよい。この場合、制御部１５１は、端末装置１００の振動状態に応じて、ジョグダイヤル１０３が取得した操作に対応して音楽再生機能について実現される機能を切り替える。なお、この切替えの具体的な例についても後述する。
【００３０】
位置情報取得部１５３は、例えばセンサ１２１に含まれるＧＰＳ受信機１３１、またはＷｉ−Ｆｉ通信を実行する通信部１１１から取得したデータに基づいて所定の演算を実行することによって端末装置１００の位置情報を取得する。位置情報取得部１５３は取得した位置情報を制御部１５１に提供する。
【００３１】
姿勢判定部１５５は、例えばセンサ１２１に含まれる加速度センサ１２３および／またはジャイロセンサ１２５から取得したデータに基づいて所定の演算を実行することによって端末装置１００の姿勢を判定する。なお、姿勢判定部１５５によって判定される端末装置１００の姿勢の具体的な例については後述する。姿勢判定部１５５は、姿勢を判定した結果を制御部１５１に提供する。
【００３２】
環境情報取得部１５７は、例えばセンサ１２１に含まれる加速度センサ１２３、温度センサ１２７および／またはマイク１２９から取得したデータに基づいて所定の演算を実行することによって端末装置１００の周辺環境を示す情報を取得する。例えば、環境情報取得部１５７は、加速度センサ１２３から取得したデータに基づいて端末装置１００の振動状態を判定する。また、環境情報取得部１５７は、温度センサ１２７から取得したデータに基づいて端末装置１００の周辺の気温を特定してもよい。さらに、上述のようにセンサ１２１に気圧センサや湿度センサ、地磁気センサ、光センサなどが含まれる場合には、環境情報取得部１５７は、端末装置１００の高度や天候、明るさなどを特定することも可能である。環境情報取得部１５７は、取得した情報を制御部１５１に提供する。
【００３３】
出力データ生成部１５９は、制御部１５１の制御に従って、出力部１１７から出力する各種のデータを生成する。例えば、出力データ生成部１５９は、ランニングのナビゲーションのための画像や音声のデータを生成する。また、出力データ生成部１５９は、楽曲を再生するための音声データを生成してもよい。さらに、出力データ生成部１５９は、ナビゲーション機能や音楽再生機能を制御するためのＧＵＩを表示するための画像データを生成してもよい。
【００３４】
画像表示部１６１は、出力データ生成部１５９が生成した画像データに基づいてディスプレイ１０７に画像を表示させる。上述のように、画像表示部１６１がディスプレイ１０７に表示させる画像には、ランニングのナビゲーション情報を表示する画像と、ランニングのナビゲーション機能および音楽再生機能をそれぞれ制御するためのＧＵＩ画像とが含まれる。
【００３５】
音声出力部１６３は、出力データ生成部１５９が生成した音声データに基づいてスピーカー１０９から音声を出力させる。上述のように、音声出力部１６３がスピーカー１０９から出力させる音声には、ランニングのナビゲーション情報の音声（例えば道案内や経過距離、ペース指示など）と、再生される楽曲の音声とが含まれる。
【００３６】
（１−４．選択的に実現される機能の例）
図４は、本開示の第１の実施形態において、端末装置を縦姿勢で把持した状態でジョグダイヤルを操作した場合に実現される機能について説明するための図である。図４を参照すると、ユーザが端末装置１００を縦姿勢で把持した状態では、端末装置１００が音楽再生モードに設定される。なお、本実施形態において、縦姿勢は、直方体状の筐体１０１の長手方向がほぼ鉛直方向（図中に示すｙ軸方向）になるような端末装置１００の姿勢を意味する。端末装置１００が縦姿勢であることは、例えばジャイロセンサ１２５が検出した筐体１０１の傾きに基づいて判定できる。なお、筐体１０１の傾きは加速度センサ１２３によって検出されてもよい。
【００３７】
端末装置１００が音楽再生モードに設定されると、ディスプレイ１０７には楽曲選択画面１１０１または楽曲再生画面１１０３が表示される。楽曲選択画面１１０１では、一方向に配列された楽曲のアイコンのうちのいずれかが選択されており、ユーザは、ジョグダイヤル１０３を回転させることによって、選択されているアイコンを順次変更することができる。アイコンは、例えば、楽曲をアルバム単位で表示するものでありうる。なお、楽曲アイコンの選択は、タッチパネル１０５を介した操作によって直接的に実行することも可能でありうる。
【００３８】
楽曲選択画面１１０１でいずれかのアイコンが選択された状態でユーザがジョグダイヤル１０３を押下すると、ディスプレイ１０７に楽曲再生画面１１０３が表示され、選択されたアイコンに対応する楽曲の再生が開始される。ユーザがジョグダイヤル１０３を長押しすることによって、再度楽曲選択画面１１０１が表示され、ユーザがジョグダイヤル１０３を回転させることによって別の楽曲のアイコンを選択することができる。なお、楽曲再生の開始や楽曲選択画面の表示も、タッチパネル１０５を介した操作、例えば楽曲アイコンへのタッチや楽曲再生画面でのフリックなどによって直接的に実行することが可能でありうる。
【００３９】
さらに、本実施形態では、ユーザが端末装置１００を縦姿勢で把持し、端末装置１００が音楽再生モードに設定されている場合、ユーザが走っているときと止まっているときとでジョグダイヤル１０３の操作によって実現される機能が切り替えられうる。ユーザが走っているか止まっているかは、例えば加速度センサ１２３が検出した筐体１０１の加速度変化から端末装置１００の振動状態を検出することによって判定できる。端末装置１００の振動が大きい場合に、ユーザは走っていると判定されうる。あるいは、加速度センサ１２３が筐体１０１の加速度変化を検出し、加速度の周期的な変化のピッチに基づいてユーザが走っていることが判定されてもよい。なお、端末装置１００の振動状態は、別途設けられる振動センサを用いて検出されてもよい。
【００４０】
この場合、例えば、上述した各機能をユーザが止まっている場合（休憩中）の機能として、ユーザが走っている場合（ランニング中）には別の機能を実現することが可能である。例えば、ランニング中は、ディスプレイ１０７に楽曲再生画面１１０３が表示され、ユーザがジョグダイヤル１０３を回転させると再生される楽曲のボリュームがコントロールされる。また、ユーザがジョグダイヤル１０３を押下すると、楽曲の再生がスタート／ストップされる。さらに、ユーザがジョグダイヤル１０３を長押しすると、その時再生されている楽曲がスキップされる。
【００４１】
図５は、本開示の第１の実施形態において、端末装置を横姿勢で把持した状態でジョグダイヤルを操作した場合に実現される機能について説明するための図である。図５を参照すると、ユーザが端末装置１００を横姿勢で把持した状態では、端末装置１００がナビゲーションモードに設定される。なお、本実施形態において、横姿勢は、直方体状の筐体１０１の長手方向がほぼ水平方向（図中に示すｘ−ｚ平面内の方向）になるような端末装置１００の姿勢を意味する。端末装置１００が横姿勢であることは、例えばジャイロセンサ１２５または加速度センサ１２３が検出した筐体１０１の傾きに基づいて判定できる。
【００４２】
端末装置１００がナビゲーションモードに設定されると、ディスプレイ１０７にはナビゲーション画面１２０１〜１２１７が表示される。ユーザは、ジョグダイヤル１０３を回転させることによって、それぞれのナビゲーション画面を切り替えて表示させることができる。また、ユーザがジョグダイヤル１０３を押下すると、表示されているナビゲーション画面が何かを選択する画面である場合には選択が実行され、そうでない場合にはストップウォッチがスタート／ストップされる。なお、ナビゲーション画面の切り替えおよびナビゲーション画面における選択は、タッチパネル１０５を介した操作、例えばタッチやフリックなどによって直接的に実行することが可能でありうる。
【００４３】
図示された例におけるナビゲーション画面は、以下の通りである。時間・現在位置・ルート案内表示１２０１、ルート案内表示１２０３、目標距離および現在の距離表示１２０５、スプリットタイム表示１２０７、ルート候補表示１２０９、ルート選択表示１２１１、スピードアップダウン表示１２１３、消費カロリー表示１２１５、およびリワード楽曲表示１２１７。これらの画面は一例であって、他にもさまざまな情報を提供する画面がナビゲーション画面として表示されうる。なお、ナビゲーション画面として表示される画面の内容については、例えば特開２０１２−３５０７１号公報や特開２０１２−２０１３４号公報に記載されているように、現在既に提供されているランニングのナビゲーション情報を参考にして適宜設計可能であるため、ここでは詳細な説明を省略する。
【００４４】
（１−５．処理フロー）
図６は、本開示の第１の実施形態における処理の例を示すフローチャートである。図６を参照すると、まず、姿勢判定部１５５が端末装置１００の姿勢を判定する（ステップＳ１０１）。ここで、姿勢判定部１５５は、例えばジャイロセンサ１２５の検出値から筐体１０１の傾き角度を算出する。姿勢判定部１５５は、例えば傾き角度が所定の範囲にある場合に、端末装置１００の姿勢が縦姿勢／横姿勢であると判定する。なお、この判定が繰り返し実行される場合、前回の判定の結果が縦姿勢であったか横姿勢であったかによって判定のための傾き角度の範囲が変更される、いわゆるヒステリシスを有する判定が実行されてもよい。
【００４５】
次に、ステップＳ１０１における判定結果が制御部１５１に提供され、制御部１５１は端末装置１００が縦姿勢であるか否かによって処理を分岐させる（ステップＳ１０３）。端末装置１００が縦姿勢である場合（ＹＥＳ）、制御部１５１は端末装置１００を音楽再生モードに設定するが、図示された例ではその前にさらに振動の判定が実施される（ステップＳ１０７〜Ｓ１１３）。一方、端末装置１００が縦姿勢ではない場合、すなわち端末装置１００が横姿勢である場合（ＮＯ）、制御部１５１は端末装置１００を図５に示したようなナビゲーションモードに設定する（ステップＳ１０５）。
【００４６】
制御部１５１が端末装置１００を音楽再生モードに設定する場合、付加的なステップとして、環境情報取得部１５７が端末装置１００の振動状態を判定する（ステップＳ１０７）。ここで、環境情報取得部１５７は、例えば加速度センサ１２３の検出値から筐体１０１の加速度変化を検出する。環境情報取得部１５７は、例えば加速度変化の周期が短く振幅が大きい場合に、端末装置１００が大きく振動している状態にあると判定する。なお、この判定が繰り返し実行される場合も、姿勢の判定と同様に、前回の判定の結果によって判定のための周期や振幅の閾値が変更される、いわゆるヒステリシスを有する判定が実行されてもよい。
【００４７】
次に、ステップＳ１０７における判定結果が制御部１５１に提供され、制御部１５１は端末装置１００の振動が大きいか否かによって処理を分岐させる（ステップＳ１０９）。端末装置１００の振動が大きい場合（ＹＥＳ）、制御部１５１は、ユーザがランニング中であると判断し、端末装置１００をランニング中の音楽再生モードに設定する（ステップＳ１１１）。一方、端末装置１００の振動が大きくない場合（ＮＯ）、制御部１５１は、ユーザが休憩中であると判断し、端末装置１００を休憩中の音楽再生モードに設定する（ステップＳ１１３）。以上のような処理が、所定の終了条件（端末装置１００の電源が切られる、ユーザの操作によって機能が終了される、など）が満たされるまで繰り返される（ステップＳ１１５）。
【００４８】
以上で説明した本開示の第１の実施形態によれば、端末装置のジョグダイヤルを回転または押下することによって実現させる機能が、端末装置の姿勢に応じて切り替えられる。視覚に依存するＧＵＩを利用した機能の切り替えとは異なり、端末装置の姿勢に応じて機能を切り替えることによって、例えばユーザがランニングなどの運動中に携帯する端末装置でも、単純な手順で多様な機能を同じ操作部への操作によって実現させることが可能になる。
【００４９】
（２．第２の実施形態）
（２−１．端末装置の構成）
図７は、本開示の第２の実施形態に係る端末装置の平面図である。図７を参照すると、端末装置２００は、手袋２０１と、タッチセンサ２０３と、ディスプレイ２０７ａ，２０７ｂとを有する。端末装置２００は、ユーザが手に着用する手袋２０１の表面にタッチセンサ２０３およびディスプレイ２０７を配置したものであり、いわゆるウェアラブルコンピュータの一種ともいえる。
【００５０】
タッチセンサ２０３は、手袋２０１の人差し指の付け根部分に配置され、ユーザが手袋２０１を装着した手を握り込んだときに親指で操作することが可能である。また、タッチセンサ２０３は、ユーザが手袋２０１を装着した手とは反対側の手（図示された例では左手に手袋２０１が装着されるため、右手）の指で操作されてもよい。タッチセンサ２０３は、例えば圧力式または静電式のタッチセンサでありうる。ディスプレイ２０７ａは、手袋２０１の親指の付け根部分に配置され、ディスプレイ２０７ｂは手袋２０１の甲部分に配置される。なお、例えばタッチセンサ２０３が静電容量式のタッチセンサである場合、手袋２０１が装着された手の指でタッチセンサ２０３を操作することが可能なように、手袋２０１は指なし手袋（fingerless  gloves）であってもよく、また手袋２０１の指先部分には導電性繊維が配置されてもよい。
【００５１】
上記のタッチセンサ２０３、ディスプレイ２０７ａおよびディスプレイ２０７ｂは、それぞれ異なる筐体を有する。これらの筐体は独立して手袋２０１の表面に配置され、バス線などによって相互に接続される。後述する通信部、ＣＰＵ、メモリ、およびセンサなどの回路部品は、いずれかの筐体に格納されるか、手袋２０１の表面または内部に別途配置される筐体に格納される。図示された例では、これらの回路部品がディスプレイ２０７ｂの筐体に格納されている。
【００５２】
ここで、タッチセンサ２０３は、特定の方向に操作可能な操作部である。例えば、タッチセンサ２０３は、センサ面の面内方向（手のひらに対して平行であり、人差し指と交差する方向）へのスライド操作と、垂直方向（手のひらに対して垂直な方向）へのタッチ操作（押下操作ともいえる）とを受け付ける。端末装置２００への操作入力を主にタッチセンサ２０３によって受け付けることで、例えば手袋２０１を装着した手の親指だけを用いて実行可能な単純な操作で、端末装置２００を操作することができる。
【００５３】
図８は、本開示の第２の実施形態に係る端末装置のハードウェア構成を概略的に示すブロック図である。図８を参照すると、端末装置２００は、ハードウェア構成として、通信部１１１と、ＣＰＵ１１３と、メモリ１１５と、出力部１１７と、操作部１１９と、センサ１２１とを有する。端末装置２００は、さらに後述するエアバッグ１３３を有してもよい。これらの各構成要素は、バス１３５によって互いに接続される。
【００５４】
なお、端末装置２００のハードウェア構成のうち、通信部１１１、ＣＰＵ１１３、メモリ１１５、およびセンサ１２１については、上記の第１の実施形態に係る端末装置１００と同様であるため、詳細な説明は省略する。また、端末装置２００の機能構成についても、第１の実施形態に係る端末装置１００の機能構成と同様であるため、詳細な説明は省略する。
【００５５】
出力部１１７は、ディスプレイ２０７ａおよびディスプレイ２０７ｂを含む。ディスプレイ２０７ａ，２０７ｂは、それぞれＣＰＵ１１３の制御に従って画像を表示する。なお、出力部１１７は、さらにスピーカーを含んでもよい。
【００５６】
操作部１１９は、タッチセンサ２０３を含む。タッチセンサ２０３は、上述のように手袋２０１の表面に配置され、ユーザによる所定の方向のスライドやタッチ（押下）の操作を取得する。なお、操作部１１９は、さらに、ディスプレイ２０７ａまたはディスプレイ２０７ｂに設けられるタッチパネルを含んでもよい。
【００５７】
（２−２．選択的に実現される機能の例）
図９は、本開示の第２の実施形態において、端末装置を縦姿勢にした状態でタッチセンサを操作した状態を示す図である。本実施形態において、縦姿勢は、手袋２０１の手の甲部分の面が鉛直面（図中に示すｙ軸に平行な面）に近くなるような端末装置２００の姿勢を意味する。端末装置２００が縦姿勢であることは、例えばジャイロセンサ１２５が検出した筐体（ジャイロセンサ１２５が格納される筐体。例えばディスプレイ２０７ｂの筐体でありうる）の傾きに基づいて判定できる。なお、筐体の傾きは加速度センサ１２３によって検出されてもよい。
【００５８】
端末装置２００が縦姿勢である場合、第１の実施形態と同様に、端末装置２００が音楽再生モードに設定される。本実施形態では、端末装置２００が音楽再生モードに設定されると、ディスプレイ２０７ａに楽曲選択画面または楽曲再生画面が表示される。これらの画面については図示されていないが、例えば第１の実施形態における楽曲選択画面１１０１および楽曲再生画面１１０３と同様の画面でありうる。楽曲選択画面では、一方向に配列された楽曲のアイコンのうちのいずれかが選択されており、ユーザは、タッチセンサ２０３上でのスライド操作によって、選択されているアイコンを順次変更することができる。
【００５９】
楽曲選択画面でいずれかのアイコンが選択された状態でユーザはタッチセンサ２０３上で短いタッチ操作を実行すると、ディスプレイ２０７ａに楽曲再生画面が表示され、選択されたアイコンに対応する楽曲の再生が開始される。ユーザがタッチセンサ２０３上で長いタッチ操作（長押し操作）を実行することによって、再度ディスプレイ２０７ａに楽曲選択画面が表示され、ユーザがタッチセンサ２０３上でスライド操作を実行することによって別の楽曲のアイコンを選択することができる。
【００６０】
さらに、本実施形態でも、端末装置２００が縦姿勢である場合、ユーザが走っているときと止まっているときとでタッチセンサ２０３の操作によって実現される機能が切り替えられてもよい。ユーザは走っているか止まっているかは、例えば加速度センサ１２３が検出した筐体の加速度変化から端末装置２００の振動状態を検出することによって判定できる。なお、端末装置２００の振動状態は、例えばユーザが走っている間の腕の振りを示す情報としても利用することができる。
【００６１】
上記の場合、例えば、上述した各機能をユーザが止まっている場合（休憩中）の機能として、ユーザが走っている場合（ランニング中）には別の機能を実現することが可能である。例えば、ランニング中は、ディスプレイ２０７ａに楽曲再生画面が表示され、ユーザがタッチセンサ２０３上でスライド操作を実行すると再生される楽曲のボリュームがコントロールされる。また、ユーザがタッチセンサ２０３上で短いタッチ操作を実行すると、楽曲の再生がスタート／ストップされる。さらに、ユーザがタッチセンサ２０３上で長いタッチ操作を実行すると、その時再生されている楽曲がスキップされる。
【００６２】
図１０は、本開示の第２の実施形態において、端末装置を横姿勢にした状態でタッチセンサを操作した状態を示す図である。本実施形態において、横姿勢は、手袋２０１の手の甲部分の面が水平面（図中に示すｘ−ｚ平面）に近くなるような端末装置２００の姿勢を意味する。端末装置２００が横姿勢であることは、例えばジャイロセンサ１２５または加速度センサ１２３が検出した筐体の傾きに基づいて判定できる。
【００６３】
端末装置２００が横姿勢である場合、第１の実施形態と同様に、端末装置２００がナビゲーションモードに設定される。本実施形態では、端末装置２００がナビゲーションモードに設定されると、ディスプレイ２０７ｂにナビゲーション画面が表示される。ナビゲーション画面については図示されていないが、例えば第１の実施形態におけるナビゲーション画面１２０１〜１２１７と同様の画面でありうる。ユーザは、タッチセンサ２０３上でスライド操作を実行することによって、それぞれのナビゲーション画面を切り替えて表示させることができる。また、ユーザがタッチセンサ上で短いタッチ操作を実行すると、表示されているナビゲーション画面が何かを選択する画面である場合には選択が実行され、そうでない場合にはストップウォッチがスタート／ストップされる。
【００６４】
上述した本実施形態における端末装置２００の姿勢に応じた機能の切り替えは、基本的に上記の第１の実施形態と同様である。ただし、本実施形態では、端末装置２００の姿勢に応じてタッチセンサ２０３への所定の方向の操作（スライドまたはタッチ）に対応して実現される機能が切り替えられるだけではなく、各種の画面が表示されるディスプレイが、端末装置２００が縦姿勢の場合にはディスプレイ２０７ａ、端末装置２００が横姿勢の場合には、ディスプレイ２０７ｂといったように切り替えられる点が、第１の実施形態とは異なる。端末装置２００のように、配置場所や向きが異なる複数のディスプレイを有する端末装置では、端末装置２００の姿勢に応じて使用ディスプレイを切り替えることによって、ユーザがより見やすいディスプレイに画像を表示させることができる。
【００６５】
なお、処理フローについては、図６を参照して説明した第１の実施形態と同様であるため、ここでは重複した説明を省略する。
【００６６】
（２−３．変形例）
図１１は、本開示の第２の実施形態の変形例について説明するための図である。図１１を参照すると、変形例に係る端末装置２５０は、手袋２０１と、ひずみゲージ２５３と、ディスプレイ２０７ａ，２０７ｂとを有する。端末装置２５０は、上記の端末装置２００において、タッチセンサ２０３に代えてひずみゲージ２５３を設けたものである。
【００６７】
ひずみゲージ２５３は、手袋２０１の表面（手のひら側でも手の甲側でもよい）に人差し指から手根部にかけて配置される。例えば手袋２０１の手のひら側の表面に配置されたひずみゲージ２５３は、ユーザが手袋２０１を装着した手を握り込むと圧縮され、手を開くと引っ張られる。また、手袋２０１の手の甲側の表面に配置されたひずみゲージ２５３は、ユーザが手袋２０１を装着した手を握り込むと引っ張られ、手を開くと圧縮される。ひずみゲージ２５３がこのような変形を検出することによって、ユーザが手袋２０１を装着した手を握り込む動作と開く動作とを、それぞれ操作として取得することが可能である。さらに、圧縮または引張の量に閾値を設定し、ユーザが手袋２０１を装着した手を強く握り込んだ場合を別に検出してもよい。
【００６８】
ここで、ひずみゲージ２５３もまた、特定の方向に操作可能な操作部である。例えば、ひずみゲージ２５３は、ユーザが手袋２０１を装着した手を握り込んだり開いたりすることによってもたらされる、圧縮−引張方向への変形操作を受け付ける。ユーザが手を握り込んだり開いたりする動作を操作入力として検出することで、例えばユーザがランニングなどの運動中であっても、違和感のない動作で端末装置２５０を操作することができる。
【００６９】
本変形例において、端末装置２５０が縦姿勢の場合と横姿勢の場合とでそれぞれ選択的に実現される動作は、上記で図９および図１０を参照して説明した例と同様である。ユーザが手袋２０１を装着した手を握り込んだり開いたりする動作が上記の例におけるタッチセンサ２０３上でのスライド操作に、ユーザが手を強く握り込む動作が上記の例におけるタッチセンサ２０３上での短いタッチ操作に、それぞれ対応する。
【００７０】
（３．第３の実施形態）
図１２は、本開示の第３の実施形態に係る端末装置の斜視図である。図１２を参照すると、端末装置３００は、筐体１０１と、ボタン３０３と、タッチパネル１０５と、ディスプレイ１０７と、スピーカー１０９とを有する。本実施形態に係る端末装置３００は、操作部としてボタン３０３を有する点で第１の実施形態に係る端末装置１００とは異なるが、それ以外の点では端末装置１００と同様である。従って、ここでは、ボタン３０３以外の構成要素については詳細な説明を省略する。
【００７１】
ボタン３０３は、筐体１０１の表面（図示された例では角部分）に設けられ、端末装置１００がユーザに把持されたときにユーザの親指で押下される。なお、ボタン３０３は、ユーザが筐体１０１を把持しているのとは反対側の手の指で操作されてもよい。ボタン３０３は、センターボタン３０３ａと方向ボタン３０３ｂとを含む。センターボタン３０３ａは、ボタン３０３の中央部に設けられ、ボタン３０３に対して垂直な方向への押下操作を受け付ける。方向ボタン３０３ｂは、センターボタン３０３ａの周りに設けられ、同じくボタン３０３に対して垂直な方向への押下操作を受け付ける。なお、方向ボタン３０３ｂが受け付ける操作は、ボタン３０３に向かって上、下、左、または右の４方向のうちのいずれかを指示する操作であるため、この操作が上、下、左、または右のそれぞれの方向への操作として解釈されてもよい。
【００７２】
端末装置３００も、上記の第１の実施形態に係る端末装置１００と同様に、縦姿勢では音楽再生モードに設定され、横姿勢ではナビゲーションモードに設定される。例えば、音楽再生モードでは、ボタン３０３のうち、センターボタン３０３ａに楽曲再生のスタート／ストップの機能が、上下の方向ボタン３０３ｂにボリュームコントロールの機能が、左右の方向ボタン３０３ｂに楽曲のスキップおよび早送りの機能が、それぞれ割り当てられる。一方、ナビゲーションモードでは、ボタン３０３のうち、方向ボタン３０３ｂにナビゲーション画面の切り替え機能が、センターボタン３０３ａにナビゲーション画面での選択またはストップウォッチのスタート／ストップの機能が、それぞれ割り当てられる。なお、これらの機能は、タッチパネル１０５を介した操作によっても実現可能でありうる。
【００７３】
（４．第４の実施形態）
図１３は、本開示の第４の実施形態に係る端末装置の斜視図である。図１３を参照すると、端末装置４００は、筐体１０１と、ジョグダイヤル１０３と、タッチパネル１０５と、ディスプレイ１０７と、スピーカー１０９と、エアバッグ１３３とを有する。本実施形態に係る端末装置４００は、エアバッグ１３３を有する点で第１の実施形態に係る端末装置１００とは異なるが、それ以外の点では端末装置１００と同様である。なお、端末装置４００のエアバッグ１３３以外の部分は、第２の実施形態に係る端末装置２００または第３の実施形態に係る端末装置３００と同様に構成されていてもよい。従って、ここでは、エアバッグ１３３以外の構成要素については詳細な説明を省略する。
【００７４】
エアバッグ１３３は、例えば図示されているように筐体１０１のディスプレイ１０７とは反対側に設けられ、ユーザが転倒時に作動することでユーザまたは端末装置４００への衝撃を緩和する。エアバッグ１３３は、例えばＣＰＵ１１３によって実現される制御部１５１によって制御される（図２および図８などを参照）。この場合、制御部１５１は、環境情報取得部１５７によって閾値を超える加速度が検出された場合に、エアバッグ１３３を作動させる。
【００７５】
付加的に、制御部１５１は、エアバッグ１３３を作動させるとともに、ディスプレイ１０７にメッセージ送信画面を表示させ、緊急連絡先にメッセージを送信する操作を可能にしてもよい。あるいは、制御部１５１は、エアバッグ１３３を作動させるとともに、自動的に緊急連絡先にメッセージを送信してもよい。この２つの例において緊急連絡先に送信されるメッセージには、ユーザの位置と時刻とが自動的に含められていてもよい。
【００７６】
エアバッグ１３３は、筐体１０１の複数の箇所に設置されてもよい。この場合、制御部１５１は、環境情報取得部１５７による加速度の検出結果に基づいてユーザが転倒した方向を特定し、その方向に対応するエアバッグ１３３を作動させてもよい。また、エアバッグ１３３に代えて、またはこれとともに、エアジェットを噴射するノズルが設けられてもよい。
【００７７】
（５．第５の実施形態）
図１４は、本開示の第５の実施形態に係る端末装置の斜視図である。図１４を参照すると、端末装置５００は、筐体１０１と、ジョグダイヤル１０３と、タッチパネル１０５と、ディスプレイ１０７と、スピーカー１０９と、着脱溝５１１とを有する。本実施形態に係る端末装置５００は、着脱溝５１１を有する点で第１の実施形態に係る端末装置１００とは異なるが、それ以外の点では端末装置１００と同様である。なお、端末装置５００の着脱溝５１１以外の部分は、第２〜第４の実施形態に係る端末装置２００〜４００のいずれかと同様に構成されていてもよい。従って、ここでは、着脱溝５１１以外の構成要素については詳細な説明を省略する。
【００７８】
着脱溝５１１は、筐体１０１の表面に刻設され、他の端末装置５１３の着脱部と係合する。これによって、他の端末装置５１３を、端末装置５００に取り付けることができる。他の端末装置５１３のサイズは特に限定されないが、例えば図示された例のようにディスプレイ１０７の全体を覆う程度の大きさであってもよい。他の例では、他の端末装置５１３はディスプレイ１０７の一部だけを覆ってもよく、またディスプレイ１０７を覆うことなく端末装置１００に取り付けられてもよい。
【００７９】
着脱溝５１１には電気的な接点が設けられうる。この場合、着脱溝５１１に他の端末装置５１３の着脱部が係合されることによって端末装置５００と他の端末装置５１３とが構造的に連結されるだけではなく電気的にも連結される。この電気的な連結を介して情報をやりとりすることによって、端末装置５００の機能の一部を他の端末装置５１３において実現することが可能である。例えば、ＧＰＳ受信機や加速度センサが他の端末装置５１３に搭載されていれば、端末装置５００はこれらのセンサの検出結果を利用して位置情報や筐体１０１の傾きなどを検出することができる。また、端末装置５００は、ＣＰＵ１１３による演算処理の一部または全部を、他の端末装置５１３のプロセッサに依頼してもよい。また、端末装置５００は、ディスプレイ１０７やスピーカー１０９を介してユーザに情報を提供する代わりに、他の端末装置５１３のディスプレイやスピーカーを利用してもよい。
【００８０】
（６．第６の実施形態）
図１５は、本開示の第６の実施形態に係る端末装置の斜視図である。図１５を参照すると、端末装置６００は、筐体６０１と、ジョグダイヤル１０３と、タッチパネル１０５と、ディスプレイ１０７と、ベルト６１１とを有する。本実施形態に係る端末装置６００は、筐体６０１の形状と、ベルト６１１を有する点とで第１の実施形態に係る端末装置１００とは異なるが、それ以外の点では端末装置１００と同様である。なお、端末装置６００の筐体６０１およびベルト６１１以外の部分は、第３〜第５の実施形態に係る端末装置３００〜５００のいずれかと同様に構成されていてもよい。従って、ここでは、筐体６０１およびベルト６１１以外の構成要素については詳細な説明を省略する。
【００８１】
筐体６０１は、矩形板状であり、長手方向の両端にベルト６１１が接続される。ベルト６１１は、接続部６１１ａと、剛性部６１１ｂと、伸縮部６１１ｃとを含む。剛性部６１１ｂは、接続部６１１ａをはさんで筐体６０１の反対側に複数配置されており、複数の剛性部６１１ｂの間は伸縮部６１１ｃによって連結される。
【００８２】
図１５（Ａ）に示すように、伸縮部６１１ｃが収縮し、隣り合う剛性部６１１ｂが互いに密着している場合、密着した剛性部６１１ｂによってグリップハンドルが形成されるため、端末装置６００を第１の実施形態に係る端末装置１００と同様にユーザが手に握って使うことが容易である。一方、図１５（Ｂ）に示すように、伸縮部６１１ｃが伸長し、隣り合う剛性部６１１ｂが互いに分離している場合、ベルト６１１の全体が伸縮性のベルト部分になるため、端末装置６００をユーザの腕や手首などに巻きつけることが容易である。
【００８３】
（７．第７の実施形態）
図１６は、本開示の第７の実施形態に係る端末装置の斜視図である。図１６を参照すると、端末装置７００は、筐体７０１と、ジョグダイヤル１０３と、タッチパネル１０５と、ディスプレイ１０７と、スピーカー１０９とを有する。本実施形態に係る端末装置７００は、筐体７０１の形状について第１の実施形態に係る端末装置１００とは異なるが、それ以外の点では端末装置１００と同様である、なお端末装置７００の筐体７０１以外の部分は、第３〜第５の実施形態に係る端末装置３００〜５００のいずれかと同様に構成されていてもよい。従って、ここでは、筐体７０１以外の構成要素については詳細な説明を省略する。
【００８４】
筐体７０１は、第１の実施形態に係る端末装置１００の筐体１０１で、長手方向の穴をはさんでディスプレイ１０７の側と反対側の部分が欠きとられた形状を有する。例えば図４および図５に示した例のように、ユーザがディスプレイ１０７側の部分を握る場合、その反対側の部分は必要ではない場合もある。筐体７０１は、ユーザがディスプレイ１０７の側を握る場合には必要ではない筐体の部分を欠きとることによって、端末装置７００の軽量化を実現している。
【００８５】
（８．変形例）
つぎに、図１７を参照して、本開示の各実施形態に共通の変形例について説明する。
【００８６】
図１７は、本開示の各実施形態に共通の変形例における処理を示すフローチャートである。なお、以下では、第１の実施形態に係る端末装置１００を例として説明するが、この処理は第２〜第７の実施形態に係る端末装置２００〜７００にも適用可能である。図１７を参照すると、まず、環境情報取得部１５７が端末装置１００の振動状態を判定する（ステップＳ２０１）。ここで、環境情報取得部１５７は、例えば加速度センサ１２３の検出値から筐体１０１の加速度変化を検出する。環境情報取得部１５７は、例えば加速度変化の周期が短く振幅が大きい場合に、端末装置１００が大きく振動している状態にあると判定する。
【００８７】
次に、ステップＳ２０１における判定結果が制御部１５１に提供され、制御部１５１は、端末装置１００の振動が大きいか否かによって処理を分岐させる（ステップＳ２０３）。端末装置１００の振動が大きい場合（ＹＥＳ）、制御部１５１は、ユーザがランニング中であると判断し、基本的には端末装置１００を省電力の音楽再生モードに設定する。ここで、省電力の音楽再生モードは、タッチパネル１０５によるタッチの検出と、ディスプレイ１０７におけるＧＵＩの表示とを休止し、電力を節約する音楽再生モードである。このモードでは、端末装置１００の操作は専らジョグダイヤル１０３を用いて実施される。
【００８８】
ただし、図示された例では、上述したユーザがランニング中の処理について、例外が設けられている。制御部１５１は、省電力の音楽再生モードを設定する前に、ユーザによってジョグダイヤル１０３が長押しされているか否かを判定する（ステップＳ２０５）。ここで、ジョグダイヤル１０３が長押しされていなかった場合（ＮＯ）、制御部１５１は端末装置１００を省電力の音楽再生モードに設定する（ステップＳ２０７）。一方、ジョグダイヤル１０３が長押しされていた場合（ＹＥＳ）、制御部１５１はこれを一種のロック解除操作として認識し、ステップＳ２０３で端末装置１００の振動が大きくなかった場合の処理（ステップＳ２０９）に移行する。
【００８９】
一方、ステップＳ２０３の判定において、端末装置１００の振動が大きくなかった場合（ＮＯ）、制御部１５１はユーザが休憩中であると判断し、姿勢判定部１５５が端末装置１００の姿勢を判定する（ステップＳ２０９）。ここで、姿勢判定部１５５は、例えばジャイロセンサ１２５の検出値から筐体１０１の傾き角度を算出する。姿勢判定部１５５は、例えば傾き角度が所定の範囲にある場合に、端末装置１００の姿勢が縦姿勢／横姿勢であると判定する。なお、この変形例における端末装置１００の振動状態および姿勢の判定でも、上記の第１の実施形態で説明したようなヒステリシスを有する判定が実行されてもよい。
【００９０】
次に、ステップＳ２０９における判定結果が制御部１５１に提供され、制御部１５１は端末装置１００が横姿勢であるか否かによって処理を分岐させる（ステップＳ２１１）。端末装置１００が横姿勢である場合（ＹＥＳ）、制御部１５１は端末装置１００をナビゲーションモードに設定する（ステップＳ２１３）。一方、端末装置１００が横姿勢ではない場合、すなわち端末装置１００が縦姿勢である場合（ＹＥＳ）、制御部１５１は端末装置１００を音楽再生モードに設定する。ここで設定される音楽再生モードは、タッチパネル１０５によるタッチの検出と、ディスプレイ１０７におけるＧＵＩの表示とが実施される通常の音楽再生モードである。以上のような処理が、所定の終了条件（端末装置１００の電源が切られる、ユーザの操作によって機能が終了される、など）が満たされるまで繰り返される（ステップＳ２１７）。
【００９１】
本変形例の処理によれば、ユーザがランニング中には端末装置１００の姿勢の判定が実施されないため、例えばランニング中にユーザが意図せず端末装置１００を横姿勢にしたことによって音楽再生が中止されてナビゲーションが開始されるといったような誤動作が防止される。また、ジョグダイヤル１０３の長押しをロック解除操作として認識することで、ランニング中にユーザがモードの切り替えを意図して端末装置１００を横姿勢にした場合には、端末装置１００をナビゲーションモードに切り替えることが可能である。
【００９２】
本実施形態の他の実施形態の他の変形例としては、例えば加速度センサ１２３が検出する加速度に基づいて、走っているユーザの腕の振りやスピード、角度などを検出し、それぞれが閾値よりも小さい場合にはアラートを出力してもよい。また、別の変形例として、端末装置にＩＣ（Integrated  Circuit）カードを搭載し、電子マネーの決済や個人認証が可能であってもよい。
【００９３】
（９．補足）
本開示の実施形態は、例えば、上記で説明したような情報処理装置（端末装置）、情報装置を含むシステム、情報処理装置またはシステムで実行される情報処理方法、情報処理装置を機能させるためのプログラム、およびプログラムが記録された一時的でない有形の媒体を含みうる。
【００９４】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【００９５】
なお、以下のような構成も本開示の技術的範囲に属する。
（１）特定の方向に操作可能な操作部と、
前記操作部を有する端末装置の姿勢を判定する姿勢判定部と、
前記姿勢に応じて、前記操作部の操作に対応して実現される機能を切り替える制御部と
を備える端末装置。
（２）前記端末装置の振動状態を判定する振動判定部をさらに備える、前記（１）に記載の端末装置。
（３）前記制御部は、前記振動状態に応じて前記機能をさらに切り替える、前記（２）に記載の端末装置。
（４）前記制御部は、前記振動状態に基づいて、前記姿勢に応じて前記機能を切り替えるか否かを決定する、前記（２）に記載の端末装置。
（５）前記制御部は、前記操作部が所定のパターンの操作を検出した場合、前記振動状態にかかわらず、前記姿勢に応じて前記機能を切り替える、前記（４）に記載の端末装置。
（６）前記振動判定部は、前記端末装置の筐体の加速度変化に基づいて前記振動状態を判定する、前記（２）〜（５）のいずれか１項に記載の端末装置。
（７）前記姿勢判定部は、前記端末装置の筐体の傾き角度に基づいて前記姿勢を判定する、前記（１）〜（６）のいずれか１項に記載の端末装置。
（８）前記操作部は、回転または押下を検出するジョグダイヤルを含む、前記（１）〜（７）のいずれか１項に記載の端末装置。
（９）前記操作部は、スライドまたは押下を検出するタッチセンサを含む、前記（１）〜（８）のいずれか１項に記載の端末装置。
（１０）前記操作部は、圧縮または引張を検出するひずみゲージを含む、前記（１）〜（９）のいずれか１項に記載の端末装置。
（１１）前記操作部は、ボタンを含む、前記（１）〜（１０）のいずれか１項に記載の端末装置。
（１２）ランニング中のユーザが携帯または装着することが可能な筐体をさらに備え、
前記制御部は、前記姿勢に応じて、前記操作に対応して音楽再生に関連する機能を実現するか、ランニングのナビゲーションに関連する機能を実現するかを切り替える、前記（１）〜（１１）のいずれか１項に記載の端末装置。
（１３）筐体と、前記筐体とともに輪を形成するベルトとをさらに備え、
前記ベルトは、
複数の剛性部と、前記各剛性部の間に配置される伸縮部とを含み、
前記伸縮部が収縮することによって前記複数の剛性部が互いに密着してグリップハンドルを形成し、
前記伸縮部が伸長することによって前記複数の剛性部が互いに分離して伸縮性のベルト部分を形成する、前記（１）〜（１２）のいずれか１項に記載の端末装置。
（１４）筐体と、前記筐体の表面に設けられ、他の端末装置と少なくとも構造的に連結される連結部とをさらに備える、前記（１）〜（１３）のいずれか１項に記載の端末装置。
（１５）前記連結部は、前記他の端末装置と電気的にも連結される、前記（１４）に記載の端末装置。
（１６）前記端末装置の筐体の加速度を検出する加速度検出部と、前記端末装置のユーザまたは前記端末装置への衝撃を緩和するエアバッグをさらに備え、
前記制御部は、前記加速度に基づいて前記エアバッグを作動させる、前記（１）〜（１５）のいずれか１項に記載の端末装置。
（１７）複数のディスプレイをさらに備え、
前記制御部は、前記姿勢に応じて、前記ディスプレイのうち画像を表示するディスプレイを切り替える、前記（１）〜（１６）のいずれか１項に記載の端末装置。
（１８）特定の方向に操作可能な操作部の操作を検出することと、
前記操作部を有する端末装置の姿勢を判定することと、
前記姿勢に応じて、前記操作に対応して実現させる機能を切り替えることと
を含む端末装置の制御方法。
（１９）特定の方向に操作可能な操作部の操作を検出する機能と、
前記操作部を有する端末装置の姿勢を判定する機能と、
前記姿勢に応じて、前記操作に対応して実現させる機能を切り替える機能と
をコンピュータに実現させるためのプログラム。
【符号の説明】
【００９６】
１００，２００，２５０，３００，４００，５００，６００，７００    端末装置
１０１，６０１，７０１    筐体
１０３    ジョグダイヤル
１０７，２０７    ディスプレイ
１１１    通信部
１１３    ＣＰＵ
１１５    メモリ
１１７    出力部
１１９    操作部
１２１    センサ
１３３    エアバッグ
１５１    制御部
１５３    位置情報取得部
１５５    姿勢判定部
１５７    環境情報取得部
２０１    手袋
２０３    タッチセンサ
２５３    ひずみゲージ
３０３    ボタン
５１１    着脱溝
６１１    ベルト
【図１】
2018156673.tif 000003
【図２】
2018156673.tif 000004
【図３】
2018156673.tif 000005
【図４】
2018156673.tif 000006
【図５】
2018156673.tif 000007
【図６】
2018156673.tif 000008
【図７】
2018156673.tif 000009
【図８】
2018156673.tif 000010
【図９】
2018156673.tif 000011
【図１０】
2018156673.tif 000012
【図１１】
2018156673.tif 000013
【図１２】
2018156673.tif 000014
【図１３】
2018156673.tif 000015
【図１４】
2018156673.tif 000016
【図１５】
2018156673.tif 000017
【図１６】
2018156673.tif 000018
【図１７】
2018156673.tif 000019
【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
端末装置の姿勢を判定する姿勢判定部と、
前記端末装置に加えられる加速度を検出する加速度センサと、
前記姿勢と前記加速度とに基づき、複数のモードのうちのいずれかのモードに切り替える制御部と、
を備える、端末装置。
【請求項２】
ディスプレイを備え、
前記制御部は、前記加速度が閾値よりも大きい場合には、前記ディスプレイへの画面の表示を休止する、
請求項１に記載の端末装置。
【請求項３】
タッチパネルを備え、
前記制御部は、前記加速度が閾値よりも大きい場合には、前記タッチパネルへのタッチの検出を休止する、
請求項１または２に記載の端末装置。
【請求項４】
特定の方向に操作可能な操作部を備え、
前記制御部は、前記操作部の操作に対応して実現される機能を切り替える、
請求項１〜３のいずれか一項に記載の端末装置。
【請求項５】
前記操作部が所定のパターンの操作を検出した場合、前記加速度にかかわらず、前記姿勢に応じて前記機能を切り替える、請求項４に記載の端末装置。
【請求項６】
前記姿勢判定部は、前記端末装置の筐体の傾き角度に基づいて前記姿勢を判定する、請求項１〜５のいずれか一項に記載の端末装置。
【請求項７】
前記姿勢判定部は、前回の前記姿勢の判定の結果に基づき、前記姿勢の判定のための傾き角度の範囲を変更する、請求項６に記載の端末装置。
【請求項８】
筐体と、前記筐体とともに輪を形成するベルトとをさらに備える、請求項１〜７のいずれか一項に記載の端末装置。
【請求項９】
筐体と、前記筐体の表面に設けられ、他の端末装置と少なくとも構造的に連結される連結部とをさらに備える、請求項１〜７のいずれか一項に記載の端末装置。
【請求項１０】
前記連結部は、前記他の端末装置と電気的にも連結される、請求項９に記載の端末装置。
【請求項１１】
端末装置の姿勢を判定することと、
前記端末装置に加えられる加速度を検出することと、
前記姿勢と前記加速度とに基づき、複数のモードのうちのいずれかのモードに切り替えることと、
を含む端末装置の制御方法。
【請求項１２】
端末装置の姿勢を判定する機能と、
前記端末装置に加えられる加速度を検出する機能と、
前記姿勢と前記加速度とに基づき、複数のモードのうちのいずれかのモードに切り替える機能と、
をコンピュータに実現させるためのプログラム。